(57)【特許請求の範囲】
【請求項１】
終端端末が近距離通信網を介して第１の移動通信端末および第２の移動通信端末に接続され、前記第１の移動通信端末と第２の移動通信端末が移動通信網を介してサービスサーバに接続され、前記サービスサーバとアプリケーションサーバが有線通信網を介して接続されるＣＰＮＳ環境下でのコンテンツの配信方法において、
ａ）前記終端端末が、前記第１の移動通信端末を介してコンテンツを前記第２の移動通信端末に送信するための接続経路推奨の初期設定過程を行うステップと、
ｂ）前記終端端末が、ユーザの指令の入力を受け付けた場合に、第２の移動通信端末に送信すべきコンテンツと、前記コンテンツを添付ファイルとし、ユーザによって入力されたメッセージ内容を含むマルチメディアサービス（ＭＭＳ：Ｍｕｌｔｉｍｅｄｉａ  Ｍｅｓｓａｇｅ  Ｓｅｒｖｉｃｅ）メッセージの送信要請とともに第１の移動通信端末に送信するステップと、
ｃ）前記第１の移動通信端末が、前記終端端末からＭＭＳメッセージの送信要請とともにコンテンツを受信したとき、ユーザがメッセージ内容と受信者番号を入力可能なように、第２の移動通信端末に前記コンテンツを送信するためのメッセージ送信ウィンドウを自動的にロードするステップと、
ｄ）前記第１の移動通信端末が、前記コンテンツが添付されたＭＭＳメッセージを第２の移動通信端末に送信するステップと、
を含み、
ｃ−１）前記ステップｃ）後に、前記第１の移動通信端末が、添付するコンテンツがメッセージに添付可能な容量を超えたか否かを判断するステップと、
ｃ−２）前記ステップｃ−１）における判断の結果、添付可能な容量を超えたと判断された場合に、前記第１の移動通信端末が、前記コンテンツをサービスサーバに送信するステップと、
ｃ−３）前記サービスサーバが、前記第１の移動通信端末から受信したコンテンツのダウンロードリンク情報を生成し、ダウンロードリンク情報を前記第１の移動通信端末に送信した後に前記ステップｄ）に移行するステップと、
をさらに含み，
前記ステップａ）は、
１）前記終端端末が、サービスの利用のために、前記サービスサーバに接続されている、ゲートウェイの役割を果たす第１の移動通信端末を検索するステップと、
２）前記終端端末が、前記ステップ１）において検索された前記第１の移動通信端末にサービスを要請し、サービスの利用のためのアカウント情報、機種、ハードウェア仕様を送信するステップと、
３）前記第１の移動通信端末が、前記終端端末から送信されたサービス要請を受信すると、前記終端端末のサービス利用可否をチェックするステップと、
４）前記ステップ３）における判断の結果、サービスが利用可能である場合に、前記第１の移動通信端末が、前記終端端末にサービスが利用可能である旨の認証メッセージを送信するステップと、
５）前記サービスが利用可能である旨の認証メッセージを受信すると、前記終端端末は、自分のアカウント情報を送信するステップと、
６）前記第１の移動通信端末が、前記終端端末から送信されたアカウント情報のフォーマットがサービスサーバから発給されたものと一致するか否かを判断して、一致する場合に前記終端端末にサービスが利用可能である旨の認証メッセージを送信するステップと、
７）前記第１の移動通信端末が、前記サービスサーバに自分と前記終端端末の認証情報およびアカウント情報を送信するステップと、
８）前記サービスサーバが、前記第１の移動通信端末から送信された前記第１の移動通信端末と前記終端端末の認証情報およびアカウント情報を記憶し、前記アカウント情報をチェックしてサービス利用可否を判断するステップと、
９）前記ステップ８）における判断の結果、前記第１の移動通信端末と前記終端端末が両方ともサービスが利用可能である場合に、前記サービスサーバはこれを前記終端端末に通知してサービスを利用可能にするステップと、
を含むことを特徴とするコンテンツの配信方法。
【請求項２】
サービスサーバによるコンテンツの配信方法であって、
ａ）第１の移動通信端末を介して終端端末のコンテンツを第２の移動通信端末に送信するための接続経路推奨の初期設定過程を行うステップと、
ｂ）第１の移動通信端末から第２の移動通信端末に送信するコンテンツを受信するステップと、
ｃ）前記コンテンツのダウンロードリンク情報を生成し、ダウンロードリンク情報を前記第１の移動通信端末に送信するステップと、
ｄ）前記第２の移動通信端末によって要請されたダウンロードリンク情報に対応するコンテンツを第２の移動通信端末に送信するステップと、
を含み、
前記ステップａ）は、
ａ−１）前記第１の移動通信端末から送信された前記第１の移動通信端末と前記終端端末の認証情報およびアカウント情報を記憶し、前記アカウント情報をチェックしてサービスが利用可能であるか否かを判断するステップと、
ａ−２）前記ステップａ−１）における判断の結果、前記第１の移動通信端末と前記終端端末が両方ともサービスが利用可能である場合に、これを前記終端端末に通知してサービスを利用可能にするステップと、
を含むことを特徴とするサービスサーバによるコンテンツの配信方法。
【請求項３】
第１の移動通信端末によるコンテンツの配信方法であって、
ａ）終端端末のコンテンツを第２の移動通信端末に送信するための接続経路推奨の初期設定過程を行うステップと、
ｂ）終端端末から第２の移動通信端末に送信するコンテンツを受信するステップと、
ｃ）第２の移動通信端末に前記コンテンツを送信するためのメッセージ送信ウィンドウをロードするステップと、
ｄ）前記コンテンツが添付されたメッセージを生成するステップと、
ｅ）第２の移動通信端末にメッセージを送信するステップと、
を含み、
ｃ−１）前記ステップｃ）後に、添付するコンテンツがメッセージに添付可能な容量を超えたか否かを判断するステップと、
ｃ−２）前記ステップｃ−１）における判断の結果、添付可能な容量を超えたと判断された場合に、前記コンテンツをサービスサーバに送信するステップと、
ｃ−３）前記サービスサーバから前記コンテンツのダウンロードリンク情報を受信するステップと、
をさらに含み、
前記ステップｄ）は、コンテンツを添付する代わりに、ダウンロードリンク情報を含むメッセージを生成し、
前記ステップａ）は、
１）前記終端端末から送信されたサービス要請を受信すると、前記終端端末のサービス利用可否を判断するステップと、
２）前記ステップ１）における判断の結果、サービスが利用可能である場合に、前記終端端末にサービスが利用可能である旨の認証メッセージを送信するステップと、
３）前記終端端末のアカウント情報を受信し、前記アカウント情報のフォーマットがサービスサーバから発給されたものと一致するか否かを判断し、一致する場合に前記終端端末にサービスが利用可能である旨の認証メッセージを送信するステップと、
４）前記サービスサーバに自分と前記終端端末の認証情報およびアカウント情報を送信するステップと、
を含むことを特徴とする第１の移動通信端末によるコンテンツの配信方法。
【請求項４】
ＣＰＮＳ環境下でコンテンツを配信するためのコンテンツの配信システムにおいて、
近距離通信網を介して第１の移動通信端末および第２の移動通信端末に接続され、ユーザの指令の入力を受け付けた場合に、前記第２の移動通信端末に送信するコンテンツと、前記コンテンツを添付ファイルとし、ユーザによって入力されたメッセージ内容を含むマルチメディアサービス（ＭＭＳ）メッセージの送信要請とともに前記第１の移動通信端末に送信する終端端末と、
近距離通信網を介して前記終端端末に接続され、移動通信網を介してサービスサーバに接続され、前記終端端末からＭＭＳメッセージの送信要請とともにコンテンツを受信したとき、ユーザがメッセージ内容と受信者番号を入力可能なように、メッセージ送信ウィンドウを画面に自動的に表示し、前記コンテンツを添付ファイルとし、ユーザによって入力されたメッセージ内容を含むＭＭＳメッセージを第２の移動通信端末に送信する第１の移動通信端末と、
移動通信網を介して前記第１の移動通信端末と第２の移動通信端末に接続され、前記第１の移動通信端末からコンテンツを受信して記憶し、前記コンテンツのダウンロードに必要なリンク情報を第１の移動通信端末に提供するサービスサーバと、
を備え、
前記第１の移動通信端末は、前記終端端末からＭＭＳメッセージの送信要請とともにコンテンツを受信したときに、当該コンテンツが所定の容量を超えたと判断された場合には当該コンテンツを前記サービスサーバーに送信し、サービスサーバーからリンク情報が提供された後、コンテンツを添付する代わりに、前記リンク情報を含むＭＭＳメッセージを前記第２の移動通信端末に送信し、
前記終端端末が前記第１の移動通信端末を介してコンテンツを前記第２の移動通信端末に送信するための接続経路推奨の初期設定過程において、前記終端端末が、サービスの利用のために、前記サービスサーバに接続されている、ゲートウェイの役割を果たす第１の移動通信端末を検索し、検索された前記第１の移動通信端末にサービスを要請し、サービスの利用のためのアカウント情報、機種、ハードウェア仕様を送信し、
前記第１の移動通信端末が、前記終端端末から送信された、サービスの利用のためのアカウント情報、機種、ハードウェア仕様を記憶し、前記終端端末からサービス要請を受信すると、前記終端端末のサービス利用可否を判断し、サービスが利用可能である場合に、前記終端端末にサービスが利用可能である旨の認証メッセージを送信し、前記終端端末から送信されたアカウント情報のフォーマットがサービスサーバから発給されたものと一致するか否かを判断して、一致する場合に前記終端端末にサービスが利用可能である旨の認証メッセージを送信し、サービスサーバに自分と終端端末の認証情報およびアカウント情報を送信し、
前記サービスサーバが、前記第１の移動通信端末から送信された、前記第１の移動通信端末と前記終端端末の認証情報およびアカウント情報を記憶し、前記アカウント情報をチェックしてサービス利用可否を判断し、前記第１の移動通信端末と前記終端端末が両方ともサービスが利用可能である場合に、これを終端端末に通知してサービスを利用可能にすることを特徴とするコンテンツ配信システム。
【請求項５】
通信網を介して前記サービスサーバーと接続されたアプリケーションサーバー
をさらに備え、
前記サービスサーバーは、前記コンテンツを前記アプリケーションサーバーに記憶することを特徴とする請求項４に記載のコンテンツ配信システム。
【請求項６】
移動通信網または有線通信網を介して前記サービスサーバーと接続され、前記第２の移動通信端末にメッセージが送信された場合に、前記第１の移動通信端末または第２の移動通信端末に対して課金を行う課金サーバー
をさらに備えることを特徴とする請求項４に記載のコンテンツ配信システム。
【請求項７】
ＣＰＮＳ環境下でコンテンツを配信するためのサービスサーバにおいて、
移動通信網を介してデータを送受信する通信部と、
前記通信部を介して受信された第１の移動通信端末と第２の移動通信端末情報を管理する移動通信端末管理部と、
前記通信部を介して受信された終端端末の情報を管理する終端端末管理部と、
前記第１の移動通信端末と終端端末との間の通信を中継する近距離通信網情報を管理する近距離通信網管理部と、
前記第１の移動通信端末情報と、第２の移動通信端末情報と、終端端末の情報および近距離通信網情報を記憶する記憶部と、
各構成要素の動作を制御する制御部と、
を備え、
前記第１の移動通信端末を介して前記終端端末のコンテンツを前記第２の移動通信端末に送信するための接続経路推奨の初期設定過程において、
前記移動通信端末管理部は、前記第１の移動通信端末から送信された前記第１の移動通信端末の認証情報およびアカウント情報を記憶し、
前記終端端末管理部は、前記終端端末の認証情報およびアカウント情報を記憶することを特徴とするコンテンツを配信するためのサービスサーバ。
【請求項８】
前記コンテンツは、終端端末が第２の移動通信端末に配信するために第１の移動通信端末を経て送信したものであることを特徴とする請求項７に記載のコンテンツを配信するためのサービスサーバー。
【請求項９】
ＣＰＮＳ環境下でのコンテンツの配信のための第１の移動通信端末において、
移動通信網を介してデータを送受信する第１の通信部と、
近距離通信網を介してデータを送受信する第２の通信部と、
終端端末の情報を管理する終端端末管理部と、
前記第２の通信部を介して終端端末から受信したコンテンツおよび終端端末の情報を記憶する記憶部と、
前記コンテンツを第２の移動通信端末に送信するためのメッセージを生成するメッセージ生成部と、
各構成要素の動作を制御する制御部と、
を備え、
前記制御部は、前記メッセージ生成部において生成されたメッセージに添付されるコンテンツが所定の容量を超える場合に、前記第１の通信部を介してサービスサーバーにコンテンツを送信し、サービスサーバーから受信したコンテンツのダウンロードリンク情報を前記メッセージ生成部に転送し、
前記終端端末のコンテンツを前記第２の移動通信端末に送信するための接続経路推奨の初期設定過程において、
前記記憶部は、前記終端端末から送信された、サービスの利用のためのアカウント情報、機種、ハードウェア仕様を記憶し、
前記第１の通信部は、サービスサーバに自分と終端端末の認証情報およびアカウント情報を送信することを特徴とするコンテンツの配信のための第１の移動通信端末。
【請求項１０】
請求項２に記載のサービスサーバーによるコンテンツの配信方法を処理するプログラムが記録されたコンピューターにて読み取り可能な媒体。
【請求項１１】
請求項３に記載の第１の移動通信端末によるコンテンツの配信方法を処理するプログラムが記録されたコンピューターにて読み取り可能な媒体。
【発明の詳細な説明】
【技術分野】
【０００１】
本発明は、コンテンツ配信システム、方法、サービスサーバー、移動通信端末および記憶媒体に係り、さらに詳しくは、終端端末が近距離通信網を介して接続された第１の移動通信端末を用いて第２の移動通信端末にコンテンツを送信することのできる技術に関する。
【背景技術】
【０００２】
最近の情報通信技術の発展には目を見張るものがあり、これに伴い、文書、イメージおよび動画など（以下、説明の便宜のために、特に言及のない限り、「文書、イメージおよび動画など」は、「コンテンツ」と略称する。）を再生可能なＭＰ３（ＭＰＥＧオーディオレイヤー）プレーヤー、パーソナルマルチメディアプレーヤー（ＰＭＰ：Ｐｅｒｓｏｎａｌ Ｍｕｌｔｉｍｅｄｉａ Ｐｌａｙｅｒ）、ウルトラモバイルパソコン（ＵＭＰＣ：Ｕｌｔｒａ Ｍｏｂｉｌｅ Ｐｅｒｓｏｎａｌ Ｃｏｍｐｕｔｅｒ）などの様々な終端端末が用いられている。この種の終端端末は、ユーザーが所望するコンテンツをパソコン（ＰＣ）からダウンロードして再生するが、ユーザーが移動中であるか、あるいは、ＰＣと接続不能な状況では所望のコンテンツをダウンロードすることができないという不都合がある。
【０００３】
上述した不都合を解消するために、コンテンツ再生装置にブルーテゥース、ウルトラワイドバンド（ＵＷＢ：Ｕｌｔｒａ Ｗｉｄｅ Ｂａｎｄ）などの近距離無線通信網に接続可能な通信手段を付加し、終端端末と移動通信端末との間を近距離通信網を介して接続する技術が提案されている。
【０００４】
一方、ユーザーは、終端端末により再生中のコンテンツを他人の端末に送信することを余儀なくされることがある。この場合、ユーザーは、終端端末のコンテンツをコンピューターにコピーするか、または、コンテンツをアプリケーションサーバーからダウンロードした後、電子メールなどを用いて他人のコンピューターに送信する。他人は、コンピューターにて電子メールを受信した後、再生しようとする装置にコピーして使用することとなる。このように、終端端末のコンテンツを外部に送信する場合には、複雑な過程を経なければならないため、使い勝手が悪いという問題がある。
【発明の概要】
【発明が解決しようとする課題】
【０００５】
本発明は上述した従来の技術による問題を解消するためになされたものであり、その目的は、終端端末により再生中のコンテンツを移動通信端末のメッセージ送信を通じて外部に配信することのできる技術を提供するところにある。
【課題を解決するための手段】
【０００６】
本発明の一実施形態に係るコンテンツ配信システムは、近距離通信網を介して第１の移動通信端末と接続され、第２の移動通信端末に配信するコンテンツをメッセージ送信要請と共に第１の移動通信端末に送信する終端端末と、近距離通信網を介して前記終端端末に接続され、移動通信網を介してサービスサーバーと接続され、前記終端端末からメッセージ送信要請を受けると、メッセージ内容および受信者番号の入力のためのメッセージ送信ウィンドウを画面に表示し、前記終端端末から受信したコンテンツが添付されたマルチメディアメッセージングサービス（ＭＭＳ：Ｍｕｌｔｉｍｅｄｉａ Ｍｅｓｓａｇｅ Ｓｅｒｖｉｃｅ）メッセージを第２の移動通信端末に送信する第１の移動通信端末と、を備える。
【０００７】
前記コンテンツ配信システムは、移動通信網を介して前記第１の移動通信端末および第２の移動通信端末に接続され、前記第１の移動通信端末からコンテンツを受信して記憶し、前記コンテンツのダウンロードに必要なリンク情報を第１の移動通信端末に提供するサービスサーバーをさらに備え、前記第１の移動通信端末は、前記終端端末からメッセージ送信要請とともにコンテンツを受信したとき、当該コンテンツの容量を確認して所定値以上である場合には当該コンテンツを前記サービスサーバーに送信し、サービスサーバーからリンク情報が提供された後、コンテンツを添付する代わりに、前記リンク情報を含むＭＭＳメッセージを前記第２の移動通信端末に送信するように構成してもよい。
【０００８】
前記コンテンツ配信システムは、通信網を介して前記サービスサーバーと接続されたアプリケーションサーバーをさらに備え、前記サービスサーバーは、前記コンテンツを前記アプリケーションサーバーに記憶するように構成してもよい。
【０００９】
前記コンテンツ配信システムは、移動通信網または有線通信網を介して前記サービスサーバーと接続され、前記第２の移動通信端末にメッセージが送信された場合に、前記第１の移動通信端末または第２の移動通信端末に対して課金を行う課金サーバーをさらに備えていてもよい。
【００１０】
本発明の他の実施形態に係るコンテンツの配信方法は、ａ）終端端末が第２の移動通信端末に送信するコンテンツをメッセージ送信要請とともに第１の移動通信端末に送信するステップと、ｂ）前記メッセージ送信要請を受けた第１の移動通信端末が、メッセージ内容および受信者番号の入力のためのメッセージ送信ウィンドウを自動的にロードするステップと、ｃ）前記第１の移動通信端末が前記コンテンツを含むメッセージを第２の移動通信端末に送信するステップと、を含む。
【００１１】
前記コンテンツの配信方法において、前記ステップｂ）は、ｂ−１）終端端末から受信した前記コンテンツが所定の容量を超えるか否かを判断するステップと、ｂ−２）前記ステップｂ−１）における判断の結果、前記コンテンツが所定の容量を超えると判断された場合、前記コンテンツをサービスサーバーに送信するステップと、ｂ−３）前記サービスサーバーが受信されたコンテンツに関するダウンロードリンク情報を生成して前記第１の移動通信端末に送信するステップと、を含み、前記ステップｃ）において送信するメッセージは、コンテンツの代わりに前記ダウンロードリンク情報を含む。
【００１２】
本発明のさらに他の実施形態に係るコンテンツ配信のためのサービスサーバーは、移動通信網を介してデータを送受信する通信部と、第１の移動通信端末から受信したコンテンツを記憶する記憶部と、前記第１の移動通信端末からコンテンツを受信すると、当該コンテンツに関するダウンロードリンク情報を生成して第１の移動通信端末に提供する制御部と、を備える。
【００１３】
前記コンテンツ配信のためのサービスサーバーにおいて、前記コンテンツは、終端端末が第２の移動通信端末に配信するために第１の移動通信端末を経て送信したものである。
【００１４】
本発明のさらに他の実施形態に係るサービスサーバーによるコンテンツの配信方法は、第１の移動通信端末からコンテンツを受信するステップと、前記コンテンツに関するダウンロードリンク情報を生成して前記第１の移動通信端末に提供するステップと、前記ダウンロードリンク情報に対応するコンテンツを第２の移動通信端末に送信するステップと、を含む。
【００１５】
本発明のさらに他の実施形態に係るコンピューターにて読み取り可能な媒体は、上述したサービスサーバーによるコンテンツの配信方法を処理するプログラムが記録されている。
【００１６】
本発明のさらに他の実施形態に係るコンテンツ配信のための移動通信端末は、移動通信網を介してデータを送受信する第１の通信部と、近距離通信網を介してデータを送受信する第２の通信部と、終端端末の情報を管理する終端端末管理部と、前記第２の通信部を介して終端端末から受信したコンテンツおよび終端端末の情報を記憶する記憶部と、前記コンテンツを第２の移動通信端末に送信するためのメッセージを生成するメッセージ生成部と、各構成要素の動作を制御する制御部と、を備える。
【００１７】
前記コンテンツ配信のための移動通信端末において、前記制御部は、前記メッセージ生成部において生成されたメッセージに添付されるコンテンツが所定容量を超える場合に、前記第１の通信部を介してサービスサーバーにコンテンツを送信し、サービスサーバーから提供されたコンテンツのダウンロードリンク情報を前記メッセージ生成部に転送する。
【００１８】
本発明のさらに他の実施形態に係る移動通信端末によるコンテンツの配信方法は、ａ）終端端末から第２の移動通信端末に送信するコンテンツを受信するステップと、ｂ）第２の移動通信端末に送信するメッセージを作成するための送信ウィンドウをロードするステップと、ｃ）前記コンテンツが添付されたメッセージを生成するステップと、ｄ）第２の移動通信端末にメッセージを送信するステップと、を含む。
【００１９】
前記移動通信端末によるコンテンツの配信方法において、前記ステップｂ）は、ｂ−１）添付するコンテンツが所定の容量を超えるか否かを判断するステップと、ｂ−２）前記ステップｂ−１）における判断の結果、前記コンテンツが所定の容量を超えると判断された場合に、前記コンテンツをサービスサーバーに送信するステップと、ｂ−３）前記サービスサーバーから前記コンテンツのダウンロードリンク情報を受信するステップと、をさらに含み、前記ステップｃ）は、コンテンツを添付する代わりに、ダウンロードリンク情報が含まれているメッセージを生成する。
【００２０】
本発明のさらに他の実施形態に係るコンピューターにて読み取り可能な媒体は、上述した移動通信端末によるコンテンツの配信方法を処理するプログラムが記録されている。
【発明の効果】
【００２１】
本発明によれば、終端端末により再生中のコンテンツを簡単な操作だけで第１の移動通信端末を介して第２の移動通信端末に送信することが可能となり、移動通信網に接続できない終端端末も、まるで移動通信網を介してメッセージを送るかのように自分のコンテンツを他の移動通信端末に配信することが可能となる。
【図面の簡単な説明】
【００２２】
【図１】本発明の実施形態に係るコンテンツ配信システムのブロック図である。
【図２】図１における終端端末の詳細ブロック図である。
【図３】本発明の実施形態に係るコンテンツの配信方法のフローチャートである。
【図４】本発明の実施形態に係るサービスサーバーのブロック図である。
【図５】本発明の実施形態に係るサービスサーバーによるコンテンツの配信方法のフローチャートである。
【図６】本発明の実施形態に係る移動通信端末のブロック図である。
【図７】本発明の実施形態に係る移動通信端末によるコンテンツの配信方法のフローチャートである。
【図８】本発明のための初期設定過程を示すフローチャートである。
【図９】本発明の適用例による終端端末の画面を示す図である。
【図１０】本発明の適用例による第１の移動通信端末の画面を示す図である。
【００２３】
（符号の説明）
１００：提供システム
１０１：有線通信網
１０２：移動通信網
１０３：近距離通信網
１１０：サービスサーバー
１２０：アプリケーションサーバー
１３０：課金サーバー
１４０：第１の移動通信端末
【発明を実施するための形態】
【００２４】
以下、添付図面に基づき、本発明の実施形態を詳述する。
以下、本発明を説明するに当たって、関連された公知機能または構成に関する具体的な説明が本発明の要旨を余計に曖昧にする虞があると認められる場合にはその詳細な説明は省略する。なお、後述する用語は本発明における機能を考慮して設定された用語であり、これらの用語は製品を生産する生産者の意図または慣例によって異なり、用語の定義は本明細書の全般に亘っての内容に基づいて下されるべきである。
【００２５】
まず、図１、図２および図８に基づき、本発明の実施形態に係るコンテンツ配信システムを説明する。
図１は、本発明の実施形態に係るコンテンツ配信システムのブロック図であり、図２は、図１における終端端末の詳細ブロック図であり、図８は、本発明のための初期設定過程を示すフローチャートである。
【００２６】
図１に示すように、本実施形態に係るコンテンツ配信システム１００は、有線通信網１０１および／または移動通信網１０２を介してサービスサーバー１１０、アプリケーションサーバー１２０および課金サーバー１３０が接続され、移動通信網１０２を介してサービスサーバー１１０と、第１の移動通信端末１４０および第２の移動通信端末１４９が接続され、近距離通信網１０３を介して第１の移動通信端末１４０および終端端末１５０が接続された構成を有する。近距離通信網を構成するための技術としては、ブルーテゥース、ＺｉｇＢｅｅ（ジグビー）、ＵＷＢなど多種多様な技術が公知されている。なお、いうまでもなく、アプリケーションサーバー１２０および／または課金サーバー１３０の機能は、サービスサーバー１１０に埋め込んで構成してもよい。
【００２７】
本発明のコンテンツ配信システム１００は、効率よい接続経路推奨のために、図８に示す初期設定過程を経ることとなる。
ステップ１において、終端端末１５０は、サービス利用のためにサービスサーバー１１０に接続されたゲートウェイの役割を果たす第１の移動通信端末１４０を検索する（Ｓ１０）。
ステップ２において、終端端末１５０は、ステップ１において検索された第１の移動通信端末１４０にサービスを要請する。このとき、終端端末は、サービス利用のためのアカウント情報などを一緒に送信する（Ｓ２０）。
【００２８】
ステップ３において、第１の移動通信端末１４０が終端端末からサービス要請を受けると、終端端末１５０がサービスを利用できるか否かをチェックする（Ｓ３０）。
ステップ４において、ステップ３におけるチェックの結果、終端端末１５０がサービスを利用できると判断された場合に、第１の移動通信端末１４０は、終端端末１５０にサービスが利用可能である旨の認証メッセージを送信する（Ｓ４０）。これに対し、ステップ３におけるチェックの結果、終端端末１５０がサービスを利用できないと判断された場合に、第１の移動通信端末１４０は終端端末にサービスが利用不可である旨のメッセージを送信し、前記過程を終了する。
【００２９】
ステップ５において、終端端末１５０は、自分のアカウント情報（ＩＤ）を送信する（Ｓ５０）。
ステップ６において、第１の移動通信端末１４０は、終端端末１５０から送信されるアカウント情報のフォーマットがサービスサーバーから発給したものと一致するか否かをチェックし、終端端末１５０から送信されるアカウント情報のフォーマットがサービスサーバーから発給したものと一致する場合に、終端端末１５０にサービスが利用可能である旨の認証メッセージを送信する（Ｓ６０、Ｓ７０）。これに対し、終端端末１５０から送信されるアカウント情報のフォーマットがサービスサーバーから発給したものと一致しない場合に、第１の移動通信端末１４０はサービスが利用不可である旨のメッセージを終端端末に送信して前記過程を終了する。
【００３０】
ステップ７において、第１の移動通信端末１４０は、サービスサーバー１１０に自分および終端端末１５０の認証情報およびアカウント情報を送信する（Ｓ８０）。
ステップ８において、サービスサーバー１１０は、アカウント情報をチェックしてサービス利用可否を判断する（Ｓ９０）。
ステップ９において、第１の移動通信端末１４０および終端端末１５０の両方がサービス利用可能である場合に、サービスサーバー１００はこれを終端端末に通知してサービスを利用するようにする（Ｓ９５）。
【００３１】
上述した初期設定過程が完了すれば、本発明のコンテンツ配信過程が開始される。終端端末１５０は、ユーザーの指令（例えば、コンテンツ配信を指示する特定のキーの入力やメニューの選択）があれば、第２の移動通信端末１４９に配信するコンテンツをメッセージ送信要請とともに第１の移動通信端末１４０に送信する。終端端末１５０としては、ＭＰ３プレーヤー、ＰＭＰ、ＵＭＰＣなどが挙げられ、近距離通信網１０３への接続のための通信部およびコンテンツ表示のための再生部を備えている。図２に基づき、終端端末１５０を詳しく説明する。通信部１５１は、近距離通信網を介してデータを送受信する。入力部１５２は、ユーザー指令を入力するためのものであり、キーパッド、キーボード、タッチスクリーンなどの入力手段が使用可能である。再生部１５３は、コンテンツを再生する。制御部１５４は、各構成要素の動作を制御する。特に、コンテンツ配信に関するユーザー指令が入力されれば、第２の移動通信端末に配信する対象となるコンテンツを第１の移動通信端末１４０に送信するように通信部１５１を制御する。記憶部１５５は、送信するコンテンツを記憶する。このような構成を有する終端端末１５０は、入力部１５２を介してユーザーのコンテンツ送信指令が入力されれば、選択されたコンテンツとともにメッセージ送信要請を第１の移動通信端末１４０に送信する。
【００３２】
第１の移動通信端末１４０は、終端端末１５０から受信したコンテンツが添付されたメッセージを生成して第２の移動通信端末に送信する。この過程をより詳しく説明する。第１の移動通信端末１４０は、終端端末１４０からメッセージ送信要請とともにコンテンツを受信すると、メッセージ送信ウィンドウを画面に自動的に表示してユーザーがメッセージ内容と受信者番号を入力できるようにし、ユーザーが入力し終わると、終端端末から受信したコンテンツが添付されたＭＭＳメッセージを第２の移動通信端末に送信する。ここで、第１の移動通信端末１４０は、コンテンツが所定の容量（例えば、メッセージに添付可能な容量）を超える場合に、コンテンツをサービスサーバー１１０に転送してもよい。この場合、サービスサーバー１１０は、第１の移動通信端末１４０から受信したコンテンツを記憶し、記憶したコンテンツに関するダウンロードリンク情報を第１の移動通信端末１４０に返す。ここで、サービスサーバー１１０は、自らコンテンツを記憶せず、アプリケーションサーバー１２０に記憶してもよいことに留意されたい。
【００３３】
課金サーバー１３０は、第２の移動通信端末１４９にメッセージが送信された場合に、第１の移動通信端末１４０および／または第２の移動移動通信端末１４９に対して課金を行う。
【００３４】
以下、図３に基づき、本発明の実施形態に係るコンテンツの配信方法を説明する。
図３は、本発明の実施形態に係るコンテンツの配信方法のフローチャートである。
図３に示すように、本実施形態に係るコンテンツの配信方法は、終端端末が近距離通信網を介して第１の移動通信端末に接続され、第１の移動通信端末および第２の移動通信端末が移動通信網を介してサービスサーバーに接続され、サービスサーバーおよびアプリケーションサーバーが有線通信網を介して接続されるシステムに適用される。
【００３５】
ステップ１において、終端端末１５０は、ユーザーの指令（例えば、コンテンツ配信を指示する特定のキーの入力やメニューの選択）があれば、第２の移動通信端末１４９に配信するコンテンツをメッセージ送信要請とともに第１の移動通信端末１４０に送信する（Ｓ１００）。このとき、送信されるコンテンツとしては、文字、絵柄、動画などの様々なフォーマットのコンテンツがいずれも使用可能である。
【００３６】
ステップ２において、第１の移動通信端末１４０は、終端端末１４０からメッセージ送信要請とともにコンテンツを受信すると、メッセージ送信ウィンドウを画面に自動的にロードする（Ｓ１１０）。このとき、メッセージ送信ウィンドウは、移動通信システムにおいて汎用されるＭＭＳの送信ウィンドウであってもよい。しかしながら、本発明はこれに特に限定されるものではなく、コンテンツの代わりにコンテンツのダウンロードリンク情報を第２の移動通信端末に転送する場合には短文メッセージサービス（ＳＭＳ：Ｓｈｏｒｔ Ｍｅｓｓａｇｅ Ｓｅｒｖｉｃｅ）の送信ウィンドウも利用可能であることに留意されたい。
【００３７】
ステップ３において、第１の移動通信端末が配信するコンテンツの容量が所定の値（例えば、メッセージに添付可能な容量）を超えるか否かを判断する（Ｓ１２０）。ここで、添付可能な容量は、第１の移動通信端末のハードウェア仕様、メッセージ送信サービスによる容量制限などによって制限され、この場合には、後述するステップ４およびステップ５をさらに行うことで、このような容量制限を克服すればよい。
ステップ４において、ステップ３における判断の結果、添付可能な容量を超えると判断された場合に、コンテンツをサービスサーバーに送信する（Ｓ１２２）。
【００３８】
ステップ５において、サービスサーバーが受信されたコンテンツに関するダウンロードリンク情報を第１の移動通信端末に送信する（Ｓ１２４）。
ステップ６において、第１の移動通信端末がコンテンツ添付メッセージまたはコンテンツの代わりにダウンロードリンク情報が含まれているメッセージを第２の移動通信端末に送信する（Ｓ１３０）。必要に応じて、メッセージにはユーザーが第２の移動通信端末に転送しようとする簡単な文字内容が追加されることもある。なお、メッセージには、第２の移動通信端末の識別番号（例えば、電話番号）が含まれることはいうまでもない。
【００３９】
以下、図４に基づき、本発明の実施形態に係るコンテンツ配信のためのサービスサーバーを説明する。
図４は、本発明の実施形態に係るサービスサーバーのブロック図である。
図４に示すように、本実施形態に係るコンテンツ配信のためのサービスサーバー１１０（以下、説明の便宜のために、特に言及のない限り、「コンテンツ配信のためのサービスサーバー」は、「サービスサーバー」と略称する。）における通信部１１１は、移動通信網を介してデータを送受信する。
【００４０】
移動通信端末管理部１１２は、通信部１１１を介して受信された第１の移動通信端末および第２の移動通信端末の情報を管理する。このとき、移動通信端末情報には、移動通信端末の機種、ハードウェア仕様、第１の移動通信端末のユーザー情報、使用料金制の種類などが含まれる。
終端端末管理部１１３は、通信部１１１を介して受信された終端端末の情報を管理する。このとき、終端端末の情報には、終端端末の機種、ハードウェア仕様、終端端末の固有アカウントなどが含まれる。
【００４１】
近距離通信網管理部１１４は、第１の移動通信端末と終端端末との間の通信を中継する近距離通信網情報を管理する。このとき、近距離通信網情報には、通信網の規格、ログインが必要な場合にはログインアカウントなどが含まれる。
記憶部１１６は、第１の移動通信端末情報、第２の移動通信端末情報、終端端末の情報および近距離通信網情報を記憶する。また、記憶部１１６は、第１の移動通信端末から受信したコンテンツを記憶してもよい。
制御部１１５は、各構成要素の動作を制御する。特に、第１の移動通信端末から受信したコンテンツに関するダウンロードリンク情報を生成し、これを第１の移動通信端末に提供するように制御する。
【００４２】
以下、図５に基づき、本発明の実施形態に係るサービスサーバーによるコンテンツの配信方法を説明する。
図５は、本発明の実施形態に係るサービスサーバーによるコンテンツの配信方法のフローチャートである。
図５に示すように、本実施形態に係るサービスサーバーによるコンテンツの配信方法は、ステップ１において、第１の移動通信端末から第２の移動通信端末に配信するコンテンツを受信する（Ｓ２００）。
【００４３】
ステップ２において、受信したコンテンツに関するダウンロードリンク情報を生成し、この情報を第１の移動通信端末に送信する（Ｓ２１０）。ダウンロードリンク情報は、コンテンツの記憶場所に関する情報であり、このダウンロードリンク情報によって第２の移動通信端末のコンテンツがダウンロード可能となる。
ステップ３において、第２の移動通信端末によって要請されたダウンロードリンク情報に対応するコンテンツを第２の移動通信端末に送信する（Ｓ２２０）。
一方、このようなサービスサーバーによるコンテンツの配信方法を処理するプログラムは、コンピューターにて読み取り可能な媒体に記録される。
【００４４】
以下、図６に基づき、本発明の実施形態に係るコンテンツ配信のための移動通信端末を説明する。
図６は、本発明の実施形態に係る移動通信端末のブロック図である。
図６に示すように、本実施形態に係るコンテンツ配信のための移動通信端末１４０における第１の通信部１４１は、移動通信網１０２を介してデータを送受信する。
【００４５】
第２の通信部１４２は、近距離通信網１０３を介してデータを送受信する。様々な近距離通信網の種類に対応するために、第２の通信部１４２は２以上の近距離通信網通信規格を有する。
終端端末管理部１４３は、終端端末の情報を管理する。
記憶部１４５は、第２の通信部１４２を介して終端端末から受信したコンテンツの情報および終端端末の情報を記憶する。
【００４６】
制御部１４４は、各構成要素の動作を制御する。記憶部１４５は、終端端末の情報を記憶する。制御部１４４は、メッセージ生成部において生成したメッセージに含まれるコンテンツの容量が所定値を超える場合に、第１の通信部１４１を介してサービスサーバーにコンテンツを送信し、サービスサーバーから受信したコンテンツのダウンロードリンク情報をメッセージ生成部１４６に転送する。
メッセージ生成部１４６は、コンテンツまたはコンテンツのダウンロードリンク情報を第２の移動通信端末に送信するためのメッセージを生成する。
【００４７】
図７は、本発明の実施形態に係る移動通信端末によるコンテンツの配信方法のフローチャートである。以下、図７に基づき、本発明の実施形態に係る移動通信端末によるコンテンツの配信方法を説明する。
【００４８】
ステップ１において、終端端末から第２の移動通信端末に配信するコンテンツを受信する（Ｓ３００）。
ステップ２において、第２の移動通信端末に送信するメッセージ送信ウィンドウをロードする（Ｓ３１０）。
ステップ３において、添付するコンテンツの容量が所定値を超えるか否かを判断する（Ｓ３２０）。
【００４９】
ステップ４において、ステップ３における判断の結果、コンテンツの容量が所定値を超えると判断された場合、コンテンツをサービスサーバーに送信する（Ｓ３２２）。
ステップ５において、サービスサーバーからコンテンツのダウンロードリンク情報を受信する（Ｓ３２４）。
ステップ６において、コンテンツを含むメッセージを生成する（Ｓ３３０）。このとき、上述したステップ４およびステップ５を行った場合には、コンテンツの代わりにダウンロードリンク情報がメッセージに含まれることに留意されたい。
ステップ７において、第２の移動通信端末にメッセージを送信する（Ｓ３４０）。
一方、このような移動通信端末によるコンテンツの配信方法を処理するプログラムは、コンピューターにて読み取り可能な媒体に記録される。
【００５０】
以下、図９および図１０に基づき、本発明の適用例を説明する。
図９は、本発明の適用例による終端端末の画面を示す図であり、図１０は、本発明の適用例による第１の移動通信端末の画面を示す図である。
【００５１】
ステップ１において、ユーザーが終端端末を用いてコンテンツ（本適用例においては、２００ＭＢの容量を有する映画ファイルであることを想定する）を視聴する。
ステップ２において、コンテンツを他人が使用する第２の移動通信端末に配信したい場合に、近距離通信網を介して第１の移動通信端末に終端端末を接続する。このとき、第１の移動通信端末および終端端末は、相互認証などの接続過程を経ることとなる。
【００５２】
ステップ３において、終端端末のコンテンツを第１の移動通信端末に送信する。この状態で、終端端末の表示画面２００には、操作ボタンの操作によって、再生中のコンテンツ画面２１０にＭＭＳ送信確認ウィンドウ２２０がさらに表示される。このときの状態が図９に示してある。
ステップ４において、第１の移動通信端末は、コンテンツを第２の移動通信端末に送信するためのメッセージ送信ウィンドウをロードする。第１の移動通信端末の表示画面２５０には、ＭＭＳを受信する第２の移動通信端末の番号２６０、入力する文字内容２７０、添付ファイル名２９０が表示され、必要な内容を入力した後に操作ボタンを操作することによって、送信確認ウィンドウ２８０がポップアップ表示される。このときの状態が図１０に示してある。
【００５３】
ステップ５において、第１の移動通信端末がコンテンツの容量を判断する。本適用例においては、メッセージ送信ウィンドウを用いて添付可能なコンテンツの容量は１００ＭＢまでであることを想定している。
ステップ６において、コンテンツの容量が添付可能な容量を超えたため、第１の移動通信端末はサービスサーバーにコンテンツを送信する。
ステップ７において、サービスサーバーはコンテンツを記憶し、ダウンロードリンク情報を生成して第１の移動通信端末に返す。
【００５４】
ステップ８において、第１の移動通信端末は、メッセージ内容にダウンロードリンク情報を盛り込み、第２の移動通信端末にメッセージを送信する。
これにより、ユーザーは、終端端末のコンテンツを簡単な操作だけで所望の移動通信端末に配信することが可能となる。
【００５５】
以上、本発明の実施形態を添付図面に基づいて説明した。
しかしながら、本発明は上述した実施形態にのみ限定されるものではなく、必要に応じて、当業者によって、特許請求の範囲に開示された精神と思想内において様々な修正および変更が可能であることに留意されたい。
【産業上の利用可能性】
【００５６】
以上述べたように、本発明のコンテンツ配信システムおよび方法と、このためのサービスサーバー、移動通信端末および終端端末を利用すると、移動通信網と近距離通信網とが結ばれている環境において、終端端末が自分の保有しているコンテンツを現在自分と接続されていない第２の移動通信端末に送信することが可能であるため、通信網を介して様々なコンテンツの配信サービスを提供しうる移動通信事業者の新たな事業モデルとして適用することができて、産業上の利用可能性が認められる。
【図１】
0005597749.tif 000002
【図２】
0005597749.tif 000003
【図３】
0005597749.tif 000004
【図４】
0005597749.tif 000005
【図５】
0005597749.tif 000006
【図６】
0005597749.tif 000007
【図７】
0005597749.tif 000008
【図８】
0005597749.tif 000009
【図９】
0005597749.tif 000010
【図１０】
0005597749.tif 000011